【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
計算システムであって、
１つ以上のプロセッサーと、
コンピューター実行可能命令を格納した１つ以上のコンピューター読み取り可能記憶媒体と、
を含み、前記コンピューター実行可能命令が前記１つ以上のプロセッサーにより実行されると前記プロセッサーに方法を実行させ、該方法が、
データーセンターのデーターセンター・プロバイダーに、組織サブスクリプションを登録するステップであって、前記組織サブスクリプションが、前記データーセンターが提供する１集合のクラウド・サービスを組織が消費するのを可能にする、ステップと、
前記組織サブスクリプションにより許可されるアプリケーションを前記データーセンターにインストールするステップであって、前記データーセンターにおけるインストールした前記アプリケーションの実行が、前記組織のテナントのみにアクセス可能な追加のクラウド・サービスを提供し、前記アプリケーションのインストールが、前記追加のクラウド・サービスを提供するための動作を実行するために前記データーセンターにおける１つ以上のサーバーの機能を変化させる、ステップと、
前記組織の管理者からの入力に応答して、複数のカスタム化した組織プランを表すデータを生成するステップであって、前記組織プランが個々に、前記データーセンターが提供する前記クラウド・サービスの別々の部分集合と前記追加のクラウド・サービスとを含み、前記組織プランの１つ以上の各々が、前記追加のクラウド・サービスの１つ以上と、対応する組織割り当てディスク容量を含む、ステップと、
作成された前記組織プランの１つ以上に加入するために、前記組織の個々のテナントからのサブスクリプション要求を表すデータを受けるステップと、
前記サブスクリプション要求を受けたことに応答して、テナント・サブスクリプションを登録し、前記テナント・サブスクリプションに含まれた前記データーセンターが提供する前記クラウド・サービスの対応する前記部分集合と前記追加のクラウド・サービスとに個々の前記テナントがアクセスするのを可能にするステップと、
前記テナント・サブスクリプションに従う前記クラウド・サービスの前記部分集合の前記個々のテナントによる使用を、対応する前記組織割り当てディスク容量に基づいて追跡し制限するステップであって、これにより、カスタム化した前記組織プランに従って前記データーセンターが提供する前記クラウド・サービスの１つ以上または前記追加のクラウド・サービスを前記個々のテナントが利用できるようにする、ステップと、
を含む、計算システム。
【請求項２】
請求項１記載の計算システムにおいて、前記方法が更に、前記１集合のクラウド・サービスのうちのどの１つ以上のクラウド・サービスが前記個々の組織プランに利用可能であるかを指定することを含む、計算システム。
【請求項３】
請求項１記載の計算システムにおいて、使用を追跡し制限する前記ステップが、前記テナント・サブスクリプションに関連する前記追加のクラウド・サービスの使用を追跡するために利用状況コレクターを使用することを含む、計算システム。
【請求項４】
請求項１記載の計算システムにおいて、
前記組織サブスクリプションが、前記データーセンターが提供する前記クラウド・サービスの１つ以上を前記組織サブスクリプションにしたがって再提案する許可を含み、
前記方法が更に、前記組織内のテナントに対し前記クラウド・サービスの前記１つ以上を前記許可にしたがって再提案することを含む、
計算システム。
【請求項５】
請求項１記載の計算システムにおいて、
前記組織サブスクリプションが、前記データーセンターが提供する前記クラウド・サービスの１つ以上を前記組織サブスクリプションにしたがって再提案する許可と、前記クラウド・サービスの前記１つ以上が再提案を許可される回数とを含み、
前記方法が更に、前記組織内のテナントに対し前記クラウド・サービスの前記１つ以上を前記許可にしたがって再提案することを含む、
計算システム。
【請求項６】
請求項５記載の計算システムにおいて、使用を追跡し制限する前記ステップが、
前記クラウド・サービスの再提案された前記１つ以上の、前記組織内の前記テナントによる使用を追跡すること、
前記クラウド・サービスの再提案された前記１つ以上の追跡された前記使用を、前記組織サブスクリプションと自動的に関連付けること、
を含む、計算システム。
【請求項７】
データーセンターにおけるプロセッサーを備えたコンピューターによって実行される方法であって、
前記データーセンターのデーターセンター・プロバイダーに、組織サブスクリプションを登録するステップであって、前記組織サブスクリプションが、前記データーセンターが提供する１集合のクラウド・サービスを組織が消費するのを可能にする、ステップと、
前記組織サブスクリプションにより許可されるアプリケーションを前記データーセンターにインストールするステップであって、前記データーセンターにおけるインストールした前記アプリケーションの実行が、前記組織のテナントのみにアクセス可能な追加のクラウド・サービスを提供し、前記アプリケーションのインストールが、前記追加のクラウド・サービスを提供するための動作を実行するために前記データーセンターにおける１つ以上のサーバーの機能を変化させる、ステップと、
前記組織の管理者からの入力に応答して、対応する組織割り当てディスク容量を備えた複数のカスタム化した組織プランを表すデータを生成するステップであって、作成された前記組織プランが個々に、前記データーセンターが提供する前記クラウド・サービスの部分集合と、前記対応する組織割り当てディスク容量にしたがって前記組織の前記テナントが消費可能な前記追加のクラウド・サービスとを含み、前記追加のクラウド・サービスの１つ以上が前記組織プランの１つ以上に含まれる、ステップと、
作成された前記組織プランの１つに加入するために、前記組織の個々のテナントからのサブスクリプション要求を表すデータを受けるステップと、
前記サブスクリプション要求を受けたことに応答して、テナント・サブスクリプションを登録するステップであって、該テナント・サブスクリプションが、前記組織プランに含まれた前記クラウド・サービスの前記対応する部分集合に個々の前記テナントがアクセスするのを可能にする、ステップと、
前記個々のテナントが加入している前記テナント・サブスクリプションに対応した前記クラウド・サービスの前記部分集合のテナント使用を、追跡し制限するステップであって、これにより、カスタム化した前記組織プランに従って前記データーセンターが提供する前記クラウド・サービスの１つ以上または前記追加のクラウド・サービスを前記組織の前記個々のテナントが利用できるようにする、ステップと、
を含む、方法。
【請求項８】
請求項７記載の方法であって、更に、前記１集合のクラウド・サービスのうちのどの１つ以上のクラウド・サービスが前記個々の組織プランに利用可能であるかを指定することを含む、方法。
【請求項９】
請求項７記載の方法において、前記クラウド・サービスの前記対応する部分集合のテナント使用を追跡し制限する前記ステップが、前記テナント・サブスクリプションに関連する前記追加のクラウド・サービスの使用を追跡するために利用状況コレクターを使用することを含む方法。
【請求項１０】
請求項７記載の方法において、
前記組織サブスクリプションが、前記データーセンターが提供する前記クラウド・サービスの１つ以上を前記組織サブスクリプションにしたがって再提案する許可を含み、
前記方法が更に、前記組織内のテナントに対し前記クラウド・サービスの前記１つ以上を前記許可にしたがって再提案することを含む、
方法。
【請求項１１】
請求項７記載の方法において、
前記組織サブスクリプションが、前記データーセンターが提供する前記クラウド・サービスの１つ以上を前記組織サブスクリプションにしたがって再提案する許可と、前記クラウド・サービスの前記１つ以上が再提案を許可される回数とを含み、
前記方法が更に、前記組織内のテナントに対し前記クラウド・サービスの前記１つ以上を前記許可にしたがって再提案することを含む、
方法。
【請求項１２】
請求項１１記載の方法において、前記クラウド・サービスの前記対応する部分集合のテナント使用を追跡することが、
前記クラウド・サービスの再提案された前記１つ以上の、前記組織内の前記テナントによる使用を追跡すること、
前記クラウド・サービスの再提案された前記１つ以上の追跡された前記使用を、前記組織サブスクリプションと自動的に関連付けること、
を含む、方法。
【請求項１３】
請求項７記載の方法において、
前記組織サブスクリプションが、前記データーセンターが提供する前記クラウド・サービスの１つ以上を前記組織サブスクリプションにしたがって再提案する許可と、前記クラウド・サービスの前記１つ以上が再提案を許可される回数とを含み、
前記方法が更に、前記下位組織に対し前記クラウド・サービスの前記１つ以上を前記許可にしたがって再提案することを含む、
方法。
【請求項１４】
データーセンターにおけるプロセッサーを備えたコンピューターによって実行される方法であって、
データーセンター・プロバイダーに、組織サブスクリプションを登録するステップであって、前記組織サブスクリプションが、前記データーセンター・プロバイダーが提供する１集合のデーターセンター・クラウド・サービスを組織が前記組織サブスクリプションにしたがって消費するのを可能にする、ステップと、
前記組織サブスクリプションにより許可されるアプリケーションを前記データーセンターにインストールするステップであって、前記データーセンターにおけるインストールした前記アプリケーションの実行が、組織クラウド・サービスを提供し、前記アプリケーションのインストールが、前記組織クラウド・サービスを提供するための動作を実行するために前記データーセンターにおける１つ以上のサーバーの機能を変化させる、ステップと、
前記組織サブスクリプションに従う対応する組織割り当てディスク容量を備えた複数のカスタム化した組織プランを表すデータを生成するステップであって、作成された前記組織プランが個々に、前記データーセンター・クラウド・サービスの別々の部分集合と、前記追加のクラウド・サービスとを含み、前記クラウド・サービスの前記部分集合が前記組織の１つ以上の下位組織におけるテナントによる使用ために利用可能である、ステップと、
作成された前記組織プランの１つに加入するために、前記１つ以上の下位組織からのサブスクリプション要求を表すデータを受けるステップと、
前記サブスクリプション要求を受けたことに応答して、下位組織サブスクリプションを登録し、前記データーセンター・クラウド・サービスの前記対応する部分集合と前記テナント・サブスクリプションに含まれた前記組織クラウド・サービスとに個々の前記下位組織がアクセスするのを可能にするステップと、
前記下位組織による前記クラウド・サービスの前記対応する部分集合の下位組織使用を、対応する組織割り当てディスク容量に基づいて追跡し制限し、その一方で前記下位組織が、テナント・サブスクリプションと、前記個々の下位組織におけるテナントによる前記クラウド・サービスの前記部分集合の使用とを独立に管理できるようにするステップであって、これにより、カスタム化した前記組織プランに従って前記データーセンター・クラウド・サービスの１つ以上および前記組織クラウド・サービスを前記個々のテナントが利用できるようにする、ステップと、
を含む、方法。
【請求項１５】
請求項１４記載の方法であって、更に、前記１集合のクラウド・サービスのうちのどの１つ以上のクラウド・サービスが前記個々の下位組織に利用可能であるかを指定することを含む、方法。